【手続補正書】
【提出日】平成19年9月21日(2007.9.21)
【手続補正１】
【補正対象書類名】明細書
【補正対象項目名】特許請求の範囲
【補正方法】変更
【補正の内容】
【特許請求の範囲】
【請求項１】  燃料ガス用の筒型通路を規定するアノード面を備え、該アノード面は、グリーン状態の材料を焼結することにより形成されたセラミック材料からなるアノード層と、該アノード層と電気的に接触するアノード側集電体と、該アノード層の半径方向の外表面上の固体電解質層と、該電解質層の半径方向の外表面上のカソード層と、そして該カソード層の上のカソード側集電体とを有する筒型固体電解質燃料電池アセンブリであって、
上記アノード側集電体は、前もって形成された管状の金属構造体からなり、該管状の金属構造体は通路内の燃料ガスがアノード層に接触可能に取着され、該管状の金属構造体は少なくともその表面がニッケルあるいはニッケル合金から成り、該管状の金属構造体の少なくとも一部をアノード層に埋め込んでアノード層を補強するように、該管状の金属構造体の上にアノード層を形成してなる筒型固体電解質燃料電池アセンブリ。
【請求項２】  上記管状の金属構造体は、少なくとも実質的に完全にアノード層に埋め込まれている請求項１記載のアセンブリ。
【請求項３】  上記管状の金属構造体は、該金属構造体の上に放射状に外側に広がりアノード層の中に突出する複数の表面構造物を有する請求項１又は２に記載のアセンブリ。
【請求項４】  上記管状の金属構造体は該金属構造体の半径方向の外表面上に複数の凸状構造物を有し、該凸状構造物の中にアノード層が延在している請求項１から３のいずれか一つに記載のアセンブリ。
【請求項５】  上記管状の金属構造体は上記筒型の通路の全長に亘り実質的に延在している請求項１から４のいずれか一つに記載のアセンブリ。
【請求項６】  上記管状の金属構造体の壁の厚さは２０〜２００μｍである請求項１から５のいずれか一つに記載のアセンブリ。
【請求項７】  上記管状の金属構造体は、螺旋状あるいはメッシ状の糸から成る請求項１から６のいずれか一つに記載のアセンブリ。
【請求項８】  上記糸はニッケルの糸である請求項７記載のアセンブリ。
【請求項９】  上記管状の金属構造体は、少なくとも実質的に剛直である基体管から成る請求項１から８のいずれか一つに記載のアセンブリ。
【請求項１０】  上記基体管は、膨張金属管と、メッシュ状の管と、そして多孔管の中から選択されてなる請求項９記載のアセンブリ。
【請求項１１】  上記基体管はニッケルあるいはニッケル合金から成る請求項９又は１０に記載のアセンブリ。
【請求項１２】  上記基体管は、耐熱性の基体と、熱伝導性の金属と、ニッケルあるいはニッケル合金の表面層とから成る請求項９又は１０に記載のアセンブリ。
【請求項１３】  上記基体は鋼である請求項１２記載のアセンブリ。
【請求項１４】  上記表面層は箔である、あるいは基体上に塗布されて成る請求項１２又は１３に記載のアセンブリ。
【請求項１５】  熱伝導性のチューブライナーが、熱を伝導させるための通路の中に設けられている請求項１から１４のいずれか一つに記載のアセンブリ。
【請求項１６】  上記チューブライナーは筒型である請求項１５記載のアセンブリ。
【請求項１７】  上記アノード層はニッケルサーメットであり、厚さが約５０〜５００μｍである請求項１から１６のいずれか一つに記載のアセンブリ。
【請求項１８】  上記電解質層の材料は、塗液塗布あるいは他の方法によりアノード層の上に電解質を堆積させる方法、アノード層の上に押出す方法、そしてアノード層の材料と同時押出しする方法から選択された方法によりアノード層の上に形成されて成る請求項１から１７のいずれか一つに記載のアセンブリ。
【請求項１９】  上記電解質層の厚さは７０μｍ以下である請求項１から１８のいずれか一つに記載のアセンブリ。
【請求項２０】  上記カソード層の厚さは約３０〜１００μｍである請求項１から１９のいずれか一つに記載のアセンブリ。
【請求項２１】  上記カソード層は、アセンブリの長手方向に沿って不連続であり、長手方向に離間して配置された多数のカソード部を有する請求項１から２０のいずれか一つに記載のアセンブリ。
【請求項２２】  上記の各カソード部は、それぞれカソード用の集電体を有する請求項２１記載のアセンブリ。
【請求項２３】  上記の長手方向に離間して配置されたカソード部の少なくともいくつかは電気的に直列に接続されてなる請求項２１又は２２に記載のアセンブリ。
【請求項２４】  上記カソード層はアセンブリの周囲で不連続である請求項１から２３のいずれか一つに記載のアセンブリ。
【請求項２５】 アセンブリの周囲における不連続は、カソード層において長手方向に延在する少なくとも１個の間隙により設けられてなり、上記長手方向に離間して配置されたカソード部の直列接続は、上記間隙中の導電性材料から成る片により形成されて成る請求項２３及び２４に記載のアセンブリ。
【請求項２６】  上記片はカソード側集電体と同じ材料で形成された成る請求項２５記載のアセンブリ。
【請求項２７】  上記カソード側集電体は貴金属あるいは貴金属合金の金属層から成り、アセンブリの周囲の酸素含有ガスをカソード層に接触可能に取着されて成る請求項１から２６のいずれか一つに記載のアセンブリ。
【請求項２８】  上記貴金属は銀である請求項２７記載のアセンブリ。
【請求項２９】  上記カソード側集電体は、カソード層上に配置された少なくとも１個のメッシュから成る請求項１から２８のいずれか一つに記載のアセンブリ。
【請求項３０】  上記少なくとも１個のメッシュは、カソード層上にスクリーン印刷されて成る請求項２９記載のアセンブリ。
【請求項３１】  上記カソード側集電体の厚さは約２０〜１００μｍである請求項１から３０のいずれか一つに記載のアセンブリ。
【請求項３２】  請求項１から３１のいずれか一つに記載されてなる多数の筒型固体電解質燃料電池アセンブリからなり、各アセンブリが１以上の隣接する筒型固体電解質燃料電池アセンブリに機械的に接続されてなる燃料電池の束。
【請求項３３】  上記の機械的な接続は、筒型固体電解質燃料電池アセンブリの長手方向の少なくとも一部に沿って連続している請求項３２記載の束。
【請求項３４】  上記の機械的な接続は、筒型固体電解質燃料電池アセンブリの長手方向に沿って断続している請求項３２記載の束。
【請求項３５】  上記の機械的な接続は剛直である請求項３２から３４のいずれか一つに記載の束。
【請求項３６】  上記の機械的な接続は柔軟である請求項３２から３４のいずれか一つに記載の束。
【請求項３７】  上記の機械的な接続は、隣接する筒型固体電解質燃料電池アセンブリ間の電気的接続も提供する請求項３２から３６のいずれか一つに記載の束。
【請求項３８】  上記の機械的な接続は、カソード側集電体の材料から形成された接続部材により行われてなる請求項３７記載の束。
【手続補正２】
【補正対象書類名】明細書
【補正対象項目名】００１０
【補正方法】変更
【補正の内容】
【００１０】
（発明の開示）
本発明の第１の態様によれば、燃料ガス用の筒型通路を規定するアノード面を備え、該アノード面は、グリーン状態の材料を焼結することにより形成されたセラミック材料からなるアノード層と、該アノード層と電気的に接触するアノード側集電体と、該アノード層の半径方向の外表面上の固体電解質層と、該電解質層の半径方向の外表面上のカソード層と、そして該カソード層の上のカソード側集電体とを有する筒型固体電解質燃料電池アセンブリであって、上記アノード側集電体は、前もって形成された管状の金属構造体からなり、該管状の金属構造体は通路内の燃料ガスがアノード層に接触可能に取着され、該管状の金属構造体は少なくともその表面がニッケルあるいはニッケル合金から成り、該管状の金属構造体の少なくとも一部をアノード層に埋め込んでアノード層を補強するように、該管状の金属構造体の上にアノード層を形成してなる筒型固体電解質燃料電池を提供する。